(57)【要約】【課題】履物にディスプレイ用ハンガーを確実に組み付け用意し、店頭における陳列を円滑に、しかも、整然となし得るようにする。【解決手段】ベースプレート１０と共に履物Ｂの差し入れ空間Ｋを構成するように起伏可能に備えられた補助プレート２０を備え、補助プレート２０に並び備えられている差込片３０を履き込み口から受け入れるようにして一組の履物Ｂをベースプレート１０と補助プレート２０との間の差し入れ空間Ｋに爪先側Ｂｃを上にして差し入れてベースプレート１０と補助プレート２０で支承し、支承された履物Ｂの甲被Ｂｂ相互を連結するプラスチック製連結ピンＤの挿通される孔４１を備えた連結用片４０が差込片に設けてある。【選択図】図３
2006122422.tif 000002
【特許請求の範囲】
【請求項１】
引っ掛け部を備え当該引っ掛け部を引っ掛け手段に引っ掛けて吊り下げ状態で用いられるベースプレートと、上部側で該ベースプレートに連続するように備えられている一対の縦向きプレート部及び該各縦向きプレート部を連続するように備えられる横向プレート部を備えて前記ベースプレートと共に履物の差し入れ空間を構成し得るように起伏可能に備えられた補助プレートとを有し、
前記補助プレートの横向プレート部には、この横向プレート部から上方に向けて突き出すように対をなす差込片が並び設けてあり、
前記ベースプレートに底裏面を接し且つ履き込み口からそれぞれ前記差込片を受け入れるようにした一組の履物を前記ベースプレートと斜めに起立される前記補助プレートとの間の差し入れ空間に爪先側を上にして差し入れ、且つ、該ベースプレートと該補助プレートにおける横向プレート部とで支承し得るようにしてあると共に、  
前記対をなす差込片の互いに向き合う縁部の少なくとも一方には、前記横向プレート部と前記ベースプレートとに支承された一組の履物の互いに隣り合う甲被相互を連結するプラスチック製連結ピンの挿通される孔を備えた連結用片が設けてあることを特徴とするディスプレイ用ハンガー。
【請求項２】
前記補助プレートと共に履物の差し入れ空間を構成する前記ベースプレートの横方向におけるほぼ中央部に傾き防止片が起伏可能に備えられていることを特徴とする請求項１に記載のディスプレイ用ハンガー。
【請求項３】
前記縦向きプレート部における互いに向き合っている縁部に横ずれ防止片が起伏可能に備えられていることを特徴とする請求項１または請求項２に記載のディスプレイ用ハンガー。
【請求項４】
前記横向プレート部が、前記縦向きプレート部及び各差込片との連続部で前記ベースプレート側に向けて折り曲げ得るようにしてあることを特徴とする請求項１、請求項２または請求項３に記載のディスプレイ用ハンガー。
【発明の詳細な説明】
【技術分野】
【０００１】
この発明は、スリッパやサンダル等の履物に前もってディスプレイ用ハンガーを組み付けて店頭における陳列を容易にするものであって、当該履物とディスプレイ用ハンガーとの組み付け状態を確実に維持し得るようにしたディスプレイ用ハンガーの提供に関する。
【背景技術】
【０００２】
スリッパやサンダル等の履物の販売店に向けた出荷に際して当該履物にディスプレイ用ハンガーをセットした状態で出荷することが試みられている。
【０００３】
このような履物にディスプレイ用ハンガーをセットしてなされる出荷は、販売店における履物の陳列を円滑かつ短時間になし得る利点を販売者にもたらすとともに販売店に当該組み付けのための作業スペースを設ける不具合をもたらさない特長を有している。
【０００４】
しかしながら、履物にセットされるディスプレイ用ハンガーは、当該履物における履き込み口からディスプレイ用ハンガーにおける差込片を当該履物内に差し入れただけの状態で出荷されており、この差込片の差し入れられた履物が当該差込片から抜け出してディスプレイ用ハンガーと分離した状態になりやすく、店頭における履物の陳列に際して、その円滑性を阻害する場合があった。
【発明の開示】
【発明が解決しようとする課題】
【０００５】
この発明が解決しようとする主たる問題点は、販売店における履物の陳列におけるディスプレイ用ハンガーに対するセットや、セットの崩れた当該ディスプレイ用ハンガーを履物にセットし直す等の煩雑さをなくし、手際よく短時間で、かつ整然と履物を陳列し得るようにしたディスプレイ用ハンガーを提供する。
【課題を解決するための手段】
【０００６】
前記目的を解決するために、この発明は、引っ掛け部を備え当該引っ掛け部を引っ掛け手段に引っ掛けて吊り下げ状態で用いられるベースプレートと、上部側で該ベースプレートに連続するように備えられている一対の縦向きプレート部及び該各縦向きプレート部を連続するように備えられる横向プレート部を備えて前記ベースプレートと共に履物の差し入れ空間を構成し得るように起伏可能に備えられた補助プレートとを有し、
前記補助プレートの横向プレート部には、この横向プレート部から上方に向けて突き出すように対をなす差込片が並び設けてあり、
前記ベースプレートに底裏面を接し且つ履き込み口からそれぞれ前記差込片を受け入れるようにした一組の履物を前記ベースプレートと斜めに起立される前記補助プレートとの間の差し入れ空間に爪先側を上にして差し入れ、且つ、該ベースプレートと該補助プレートにおける横向プレート部とで支承し得るようにしてあると共に、  
前記対をなす差込片の互いに向き合う縁部の少なくとも一方には、前記横向プレート部と前記ベースプレートとに支承された一組の履物の互いに隣り合う甲被相互を連結するプラスチック製連結ピンの挿通される孔を備えた連結用片が設けてあることを特徴とするディスプレイ用ハンガーとしてある。
【０００７】
このように構成されるディスプレイ用ハンガーにあっては、当該ディスプレイ用ハンガーにセットされた履物は、このディスプレイ用ハンガーの差込片に備えられている連結用片の孔を通るプラスチック製連結ピンによって該連結用片と前記一組の履物とを連結することができ、このディスプレイ用ハンガーにセットされた履物は当該セット状態を効果的に維持することができる。
【０００８】
ついで、前記構成に係るディスプレイ用ハンガーにおいて、前記補助プレートと共に履物の差し入れ空間を構成する前記ベースプレートの横方向におけるほぼ中央部に傾き防止片が起伏可能に備えられていることを特徴とするディスプレイ用ハンガーにあっては、この差し入れ空間に差し入れられた一組の履物の爪先側が互いに近づく向きに移動したり傾いたりする不具合を防ぐことができる。
【０００９】
また、前記構成に係るディスプレイ用ハンガーにおいて、前記縦向きプレート部における互いに向き合っている縁部に横ずれ防止片が起伏可能に備えられていることを特徴とするディスプレイ用ハンガーにあっては、前記差し入れ空間に差し入れられている一組の履物が側方に移動したり傾いたりする不具合を防ぐことができる。
【００１０】
また、前記構成に係るディスプレイ用ハンガーにおいて、前記横向プレート部が、前記縦向きプレート部及び各差込片との連続部で前記ベースプレート側に向けて折り曲げ得るようにしてあることを特徴とするディスプレイ用ハンガーにあっては、前記差し入れ空間に差し入れられている一組の履物における甲被の縁を面によって受け得るようになすことができる。
【発明の効果】
【００１１】
この発明にかかるディスプレイ用ハンガーによれば、出荷時に左右対をなす履物にセットしたディスプレイ用ハンガーは当該セット状態を効果的に維持して販売店において円滑かつ容易に陳列をすることができ、販売店において格別の作業スペースを必要とすることなく整然と履物の陳列をなすことができる。
【発明を実施するための最良の形態】
【００１２】
以下、この発明を実施するための最良の形態に係るディスプレイ用ハンガーＡについて説明する。
【００１３】
ここで図１〜図５は当該発明を実施するための最良の形態に係るディスプレイ用ハンガーＡの一実施例を示しており、図１は当該ディスプレイ用ハンガーＡを構成する板紙１００に対する打ち抜き状態を上方から見て示している。図２は、図１にかかる板紙１００を折り曲げ且つ要部を接着して構成されたディスプレイ用ハンガーＡであって、履物Ｂを差し込み用い得るように当該履物Ｂを仮想線によって示している。図３は、当該ディスプレイ用ハンガーＡを用いて履物Ｂを陳列している状態を斜め上方から見て示している。図４では、この履物Ｂを陳列している状態を要部を破断して側方から見て示している。図５は、この図４の状態にある履物Ｂの陳列状態を当該図４におけるＸ−Ｘ向きで断面して示している。
【００１４】
ついで図６〜図１０は当該発明を実施するための最良の形態に係るディスプレイ用ハンガーＡの他の実施例を示しており、図６は当該ディスプレイ用ハンガーＡを構成する板紙１００に対する打ち抜き状態を上方から見て示している。図７は、図６にかかる板紙１００を折り曲げ且つ要部を接着して構成されたディスプレイ用ハンガーＡであって、履物Ｂを差し込み用い得るように当該履物Ｂを仮想線によって示している。図８は、当該ディスプレイ用ハンガーＡを用いて履物Ｂを陳列している状態を斜め上方から見て示している。図９では、この履物Ｂを陳列している状態を要部を破断して側方から見て示している。図１０は、この図９の状態にある履物Ｂの陳列状態を当該図９におけるＹ−Ｙ向きで断面して示している。
【００１５】
この発明を実施するための最良の形態に係るディスプレイ用ハンガーＡは、
引っ掛け部５０を備え当該引っ掛け部５０を引っ掛け手段Ｃに引っ掛けて吊り下げ状態で用いられるベースプレート１０と、上部側で該ベースプレート１０に連続するように備えられている一対の縦向きプレート部２１及び該各縦向きプレート部２１を連続するように備えられる横向プレート部２２を備えて前記ベースプレート１０と共に履物Ｂの差し入れ空間Ｋを構成し得るように起伏可能に備えられた補助プレート２０とを有し、
前記補助プレート２０の横向プレート部２２には、この横向プレート部２２から上方に向けて突き出すように対をなす差込片３０が並び設けてあり、
前記ベースプレート１０に履物底Ｂａの底裏面Ｂａを接し且つ履き込み口Ｂｅからそれぞれ前記差込片３０を受け入れるようにした一組の履物Ｂを前記ベースプレート１０と斜めに起立される前記補助プレート２０との間の差し入れ空間Ｋに爪先側Ｂｃを上にして差し入れ、且つ、該ベースプレート１０と該補助プレート２０における横向プレート部２２とで支承し得るようにしてあると共に、  
前記対をなす差込片３０の互いに向き合う縁部の少なくとも一方には、前記横向プレート部２２と前記ベースプレート１０とに支承された一組の履物Ｂの互いに隣り合う甲被Ｂｂ相互を連結するプラスチック製連結ピンＤの挿通される孔４１を備えた連結用片４０が設けてあることを特徴とするディスプレイ用ハンガーＡとしてある。
【００１６】
なお、前記ディスプレイ用ハンガーＡは、紙製、合成紙製、プラスチック製、金属製等いかなる素材によって構成してあっても、また、打ち抜き、切断、金型射出成形等いかなる方法によって構成してあってもよい。
【００１７】
また、前記構成を備えて一組の履物Ｂを確実に支承し得るものであれば、いかなる構成のものであってもよく、例えば、当該ディスプレイ用ハンガーＡを一枚のプレートによって構成してあっても、また任意数の複数プレートを用いて構成するようにしてあってもよい。
【００１８】
ここでディスプレイ用ハンガーＡを用いて陳列され得る履物Ｂは、前記差込片３０を履き込み口Ｂｅから受け入れて前記補助プレート２０とベースプレート１０との間に差し入れ支承され得るものであれば、いかなる履物Ｂであってもよく、例えば、スリッパやサンダル等の各種の履物Ｂのディスプレイ手段として用いることができる。
【００１９】
また、ここで各履物Ｂの甲被Ｂｂと連結用片４０とを連結するプラスチック製連結ピンＤは、当該連結用片４０に備えられている孔４１から対をなす履物Ｂの各甲被Ｂｂを貫通して当該各甲被Ｂｂと連結用片４０とを連結し得るものであれば、いかなる形態のものであってもよい。
【００２０】
かかるプラスチック製連結ピンＤは、対をなして販売される履物Ｂ相互を連結状態に維持するために用いられる各種の市販されているプラスチック製連結ピンＤを用いることができる。
【００２１】
かかるプラスチック製連結ピンＤは、例えば、ナイロンやポリプロピレン等の合成樹脂を用いてプラスチック成形によって提供される各種の連結ピン、例えば、可撓性を備えた線状部分の両端に当該線状部分に対して直交するようにロッド状部を一体に備えた連結ピンや、可撓性を備えた線状部分の一端側に板状部や塊状部を備えるとともに他方端部に当該線状部分に直交するロッド状部を備えたものなど、いかなる形態からなるものであってもよい。
【００２２】
このように構成されるディスプレイ用ハンガーＡにあっては、当該ディスプレイ用ハンガーＡにセットされた履物Ｂは、このディスプレイ用ハンガーＡの差込片３０に備えられている連結用片４０の孔４１を通るプラスチック製連結ピンＤによって該連結用片４０と前記一組の履物Ｂとを連結するようにしてあり、このディスプレイ用ハンガーＡにセットされた履物Ｂは当該セット状態を効果的に維持し得るようにしてある。
【００２３】
ついで、前記構成に係るディスプレイ用ハンガーＡにおいて、前記補助プレート２０と共に履物Ｂの差し入れ空間Ｋを構成する前記ベースプレート１０の横方向のほぼ中央部に傾き防止片７０が起伏可能に備えられていることを特徴とするディスプレイ用ハンガーＡにあっては、この差し入れ空間Ｋに差し入れられた一組の履物Ｂの爪先側Ｂｃが互いに近づく向きに移動したり傾いたりする不具合を防ぐことができる。
【００２４】
また、前記構成に係るディスプレイ用ハンガーＡにおいて、前記縦向きプレート部２１における互いに向き合っている縁部に横ずれ防止片６０が起伏可能に備えられていることを特徴とするディスプレイ用ハンガーＡにあっては、前記差し入れ空間Ｋに差し入れられている一組の履物Ｂが側方に移動したり傾いたりする不具合を防ぐことができる。
【００２５】
また、前記構成に係るディスプレイ用ハンガーＡにおいて、前記横向プレート部２２が、前記縦向きプレート部２１及び各差込片３０との連続部で前記ベースプレート１０側に向けて折り曲げ得るようにしてあることを特徴とするディスプレイ用ハンガーＡにあっては、前記差し入れ空間Ｋに差し入れられている一組の履物Ｂにおける甲被Ｂｂの縁を面によって受けうるようになすことができる。
【００２６】
（実施例１）
図１〜図５に示される当該発明を実施するための最良の形態に係るディスプレイ用ハンガーＡは、引っ掛け部５０を備え当該引っ掛け部５０を引っ掛け手段Ｃに引っ掛けて吊り下げ状態で用いられるベースプレート１０と、上部側で該ベースプレート１０に連続するように備えられている一対の縦向きプレート部２１及び該各縦向きプレート部２１を連続するように備えられる横向プレート部２２を備えて前記ベースプレート１０と共に履物Ｂの差し入れ空間Ｋを構成し得るように起伏可能に備えられた補助プレート２０とを有しており、しかも、前記補助プレート２０の横向プレート部２２には、この横向プレート部２２から上方に向けて突き出すように対をなす差込片３０が並び設けてある。
そして、前記ベースプレート１０に履物底Ｂａの底裏面Ｂａを接し且つ履き込み口Ｂｅからそれぞれ前記差込片３０を受け入れるようにした一組の履物Ｂを前記ベースプレート１０と斜めに起立される前記補助プレート２０との間の差し入れ空間Ｋに爪先側Ｂｃを上にして差し入れ、且つ、該ベースプレート１０と該補助プレート２０における横向プレート部２２とで支承し得るようにしてあり、しかも、前記対をなす差込片３０の互いに向き合う縁部の少なくとも一方には、前記横向プレート部２２と前記ベースプレート１０とに支承された一組の履物Ｂの互いに隣り合う甲被Ｂｂ相互を連結するプラスチック製連結ピンＤの挿通される孔４１を備えた連結用片４０を設けてある。
【００２７】
なお、この実施例にあっては、スリッパＢ’を当該履物Ｂの典型的な一例として当該ディスプレイ用ハンガーＡを用いて陳列する事例を示している。
【００２８】
この図１〜図５に示されるディスプレイ用ハンガーＡは、比較的厚手の一枚の板紙１００を型抜きすることによって構成してある。
【００２９】
ここで用いられる板紙１００は、この板紙１００によって構成されるベースプレート１０や補助プレート２０や差込片３０等が、当該板紙１００によって構成されるディスプレイ用ハンガーＡにスリッパＢ’を装着した際に、当該スリッパＢ’を所定形態に支承し得る強度を備えたものとして用意される。
【００３０】
この実施例に係るディスプレイ用ハンガーＡは、長方形状をなす板紙１００の所要位置に施される打ち抜きと当該打ち抜き処理の施された板紙１００に対する所要の折り曲げと所要重ね合わせ位置における接着処理等によって構成するようにしてある。
【００３１】
ここでディスプレイ用ハンガーＡを構成する板紙１００は、長手側のほぼ中央で当該板紙１００を二分するように構成してあり、この板紙１００を二つ折りにして重ね合わせ状にする折り線１１１を当該板紙１００の長手側におけるほぼ中央であって当該板紙１００における幅側間をわたるように設けてあり、この折り線１１１を挟んで線対象の態様に引っ掛け部５０を構成する打ち抜き部を設け、この引っ掛け部５０を備える折り線１１１側を上にして用いるようにしてある。
【００３２】
このように折り線１１１によって二分された当該板紙１００を該折り線１１１において折りつけることにことによって、ディスプレイ用ハンガーＡにおける表側をなす表側板紙部１０１と、当該ディスプレイ用ハンガーＡにおける裏側をなす裏側板紙部１０２としてあり、この表側板紙部１０１のほぼ中程から下側部分を起伏可能な補助プレート２０として構成し得るようにしてあると共に、当該表側板紙部１０１と裏側板紙部１０２とを、その上部側で接着してベースプレート１０を構成するようにしてある。
【００３３】
かかる表側板紙部１０１に備えられる補助プレート２０は、この表側板紙部１０１における前記折り線１１１に向き合っている縁部、すなわち、当該表側板紙部１０１における下縁部を、その全幅にわたって長方形状の横向プレート部２２とし、しかも、この横向プレート部２２の両端部から連続するように該表側板紙部１０１における両側縁部を当該表側板紙部１０１における中程にまで到る長方形状の縦向きプレート部２１とし、しかも、この横向プレート部２２から上方に向けて突き出すように一対の差込片３０を、当該各差込片３０間及び前記縦向きプレート部２１との間にスリッパＢ’の装着に適する空間を生ずるように並び備えており、さらに、この並び設けられて一対の差込片３０における互いに向きあっている縁部の一方から他方に向けて突き出すように連結用片４０を折り線１１３で折り曲げ可能に備えており、また、各縦向きプレート部２１の互いに向き合う縁部の下部側から互いに近づく向きに突き出される横ずれ防止片６０を折り線１１４で折り曲げ可能に備えた補助プレート２０を当該表側板紙部１０１の打ち抜きによって構成してある。そして、この打ち抜きによって縦向きプレート部２１の上端部の折り線１１２で折り曲げ得るように起伏可能に備えられた補助プレート２０と当該補助プレート２０とされていない板紙１００部分の構成するベースプレート１０との間に、当該補助プレート２０の起伏によってスリッパＢ’の差し入れ空間Ｋを構成し得るようにしてある。
【００３４】
この実施例にかかるディスプレイ用ハンガーＡにあっては、表側板紙部１０１の下縁部に沿って備えられる長方形状の横向プレート部２２の上側打ち抜き縁２２ａと、この横向プレート部２２の両端部に連続するように該表側板紙部１０１の両側縁部に沿って備えられる長方形状の縦向きプレート部２１の内側の打ち抜き縁２１ａと、当該縦向きプレート部２１の上端位置よりやや下方の位置で当該縦向きプレート部２１間にわたるように備えられる打ち抜き縁１１ａとによって長方形状に区分される内側に、前記対をなす差込片３０と連結用片４０および各横ずれ防止片６０並びに傾き防止片７０とを残すように打ち抜いた打ち抜き部１２０を備えた構成とし、前記縦向きプレート部２１の上端部の折り線１１２に沿って補助プレート２０を起伏させた際にベースプレート１０との間にスリッパＢ’の差し入れ空間Ｋを構成するようにしてある。
【００３５】
なお、この実施例に係るディスプレイ用ハンガーＡにあっては、前記横向プレート部２２から突き出し状態に備えられる差込片３０が、スリッパＢ’の履き込み口Ｂｅから都合よく差し入れ得る形状、例えば、先端側を半円状とした差込片３０とし、その先端が前記縦向きプレート部２１間にわたって備えられる打ち抜き縁１１ａに接する構成としてあり、また、一方の差込片３０には横向プレート部２２に連続する縁部から他方の差込片３０に先端部を接するように先端側で幅狭となる連結用片４０を折り線１１３を介して折り曲げ可能に設けてある。
【００３６】
また、前記縦向きプレート部２１における互いに向き合った側の縁部の前記横向プレート部２２に近接した縁部位置から折り線１１４を介して側方に突き出すように横ずれ防止片６０が折り曲げ可能に設けてあり、この横ずれ防止片６０の先端部を受け入れる欠損部を備えるように前記差込片３０を打ち抜き構成してある。
【００３７】
また、打ち抜きによってベースプレート１０と区分されている縦向きプレート部２１における上端には折り線１１２が設けてあり、この折り線１１２によって補助プレート２０が当該ベースプレート１０に対して起伏可能とされており、この左右の折り線１１２，１１２を結ぶ線分よりも上方にある表側板紙部１０１と裏側板紙部１０２とを互いに接着した接着部１３０としてある。
【００３８】
そして、この裏側板紙部１０２に接着されていないベースプレート１０をなす表側板紙部１０１である下向き片１１のほぼ中央部に当該下向き片１１と区分されて前記表側板紙部１０１と裏側板紙部１０２の接着部１３０から折り線１１６を介して突き出すように傾き防止片７０が起伏可能に設けてある。
【００３９】
このように構成されるディスプレイ用ハンガーＡは、前記補助プレート２０を適宜起立させるようにしながら、当該補助プレート２０とベースプレート１０との間に対をなすスリッパＢ’を差し入れ、且つ前記各差込片３０をそれぞれのスリッパＢ’の履き込み口Ｂｅから差し入れるに際して、この差込片３０に備えられている連結用片４０を一方のスリッパＢ’の甲被Ｂｂの内側に沿うように折り曲げ位置づけ、しかも、各縦向きプレート部２１に備えられている各横ずれ防止片６０を当該ディスプレイ用ハンガーＡに備えられたスリッパＢ’の甲被Ｂｂの外側の面に接し得るように折り曲げ位置づけ、さらに、当該ディスプレイ用ハンガーＡに装着される一組のスリッパＢ’における爪先側Ｂｃの側面に前記傾き防止片７０を接し得るように起立位置づけるように、差込片３０、縦向きプレート部２１、下向き片１１、連結用片４０、横ずれ防止片６０、傾き防止片７０等を所定の形状、寸法を備え、しかも、所定の間隔を離したものとして構成してある。
【００４０】
かかる板紙１００に備えられる引っ掛け部５０は前記折り線１１１と直交するように当該折り線１１１を含んで構成される縦溝部５１と、この縦溝部５１に連通する横溝部５２を該縦溝部５１に直交し、しかも前記折り線１１に平行をなすように備えており、前記縦溝部５１と反対側にある当該横溝部５２端が前記折り線１１１側に屈曲した引っ掛け凹部５３としてあり、この引っ掛け凹部５３が当該板紙１００における幅側の中央に位置するように設けてある。
【００４１】
このように板紙１００を打ち抜き、且つ折り曲げ、接着して構成されるディスプレイ用ハンガーＡに対して、当該ディスプレイ用ハンガーＡを構成する補助プレート２０を起立させるようにして対をなすスリッパＢ’の履き込み口Ｂｅから差込片３０をそれぞれ受け入れるようにして当該スリッパＢ’をディスプレイ用ハンガーＡに組み付けた際に、このスリッパＢ’における甲被Ｂｂの縁が前記横向プレート部２２に支えられ且つ当該スリッパＢ’の底裏面Ｂａが前記ベースプレート１０に支えられると共に、当該スリッパＢ’の横方向に向けた移動や傾きなどが前記差込片３０、横ずれ防止片６０、縦向きプレート部２１、傾き防止片７０及び連結用片４０等の相互的な働きによって防止し得るようにしてある。
【００４２】
特に、この図示例にあっては、底裏面Ｂａをベースプレート１０に接した状態で差込片３０を履き込み口Ｂｅから受け入れるようにして爪先側Ｂｃを上に向けて当該ディスプレイ用ハンガーＡに備えられるスリッパＢ’は、このスリッパＢ’における甲被Ｂｂを前記差込片３０と各縦向きプレート部２１との間の隙間に差し入れ状態とされ、しかも、互いに向き合っている甲被Ｂｂが並んだ状態で当該各差込片３０間に収まるように構成してある。
【００４３】
かかるスリッパＢ’のディスプレイに用いられる典型的なディスプレイ用ハンガーＡは、前記差込片３０を受け入れて当該ディスプレイ用ハンガーＡに備えられるスリッパＢ’の甲被Ｂｂが当該差込片３０と各縦向きプレート部２１との間、及び当該差込片３０と前記傾き防止片７０との間、及び当該各差込片３０，３０間とに都合よく入れ込み得るようにしてあり、この甲被Ｂｂの傾き防止に用いられる傾き防止片７０は、差込片３０を受け入れて当該ディスプレイ用ハンガーＡに備えられるスリッパＢ’における爪先側Ｂｃ間が大きく離れるような場合に起立状態にして用いられると共に、互いの爪先側Ｂｃが近接するような場合にあっては、これを倒して当該スリッパＢ’に接しないようにする。
【００４４】
かかる構成よりなるディスプレイ用ハンガーＡを構成する連結用片４０にプラスチック製連結ピンＤの挿通用孔４１が設けてある。また、必要に応じて縦向きプレート部２１に備えられている横ずれ防止片６０にプラスチック製連結ピンＤの挿通孔６１を設けてある。この図示例にあっては、当該プラスチック製連結ピンＤの挿通位置を考慮して連結用片４０に備えられる孔４１を複数個設けるようにしてある。
【００４５】
かかる連結用片４０を備えた当該ディスプレイ用ハンガーＡにあっては、前記差込片３０をそれぞれの履き込み口Ｂｅから受け入れるようにして当該ディスプレイ用ハンガーＡに組み付けられた一組のスリッパＢ’における互いに隣り合っている甲被Ｂｂ、Ｂｂと当該連結用片４０とを貫通するようにプラスチック製連結ピンＤを挿通することができ、このプラスチック製連結ピンＤによる連結用片４０と各甲被Ｂｂとの連結によって、ディスプレイ用ハンガーＡに組み付けたスリッパＢ’が当該ディスプレイ用ハンガーＡの差込片３０から抜け出す不具合をなくすことができる。
【００４６】
かかるディスプレイ用ハンガーＡを構成する連結用片４０と各スリッパＢ’の甲被Ｂｂとを連結するプラスチック製連結ピンＤは、この連結用片４０に備えられている孔４１に挿通され、しかも、各甲被Ｂｂを貫通するように挿通されて当該連結用片４０と各甲被Ｂｂとを連結し得るものであればいかなる形態からなるものであってもよく、この実施例にあっては、対をなす各甲被Ｂｂと当該連結用片４０とを相互に連結し得る長さを備えた強靱で、しかも、可撓性を備えた線状部Ｄａと、この線状部Ｄａの一端側に当該線状部Ｄａに直交するように備えられているやや太いロッド状部Ｄｂと、当該線状部Ｄａの他端側に備えられている該線状部Ｄａに直交する向きに長い板状部Ｄｃとを一体に備えた構成としてあり、例えば、プラスチック成形等によって提供される当該プラスチック製連結ピンＤを公知の手法で当該連結用片４０の孔４１から前記対をなす各甲被Ｂｂを貫通するように挿通して前記ロッド状部Ｄｂと板状部Ｄｃとをそれぞれ挿通孔の周縁部に引っ掛け、当該連結用片４０と各甲被Ｂｂとを連結状態にする。
【００４７】
また、かかる連結用片４０を用いたプラスチック製連結ピンＤによる連結と共に、前記縦向きプレート部２１に備えられている各横ずれ防止片６０に備えられている孔６１を用いて、この孔６１を通してプラスチック製連結ピンＤを該横ずれ防止片６０に隣り合っているスリッパＢ’の甲被Ｂｂに挿通して、当該スリッパＢ’を該横ずれ防止片６０に連結するようにしてもよい。
【００４８】
また、前記補助プレート２０を構成する横向プレート部２２を、各縦向きプレート部２１、各差込片３０との間に備えられている折り線１１５によって前記ベースプレート１０側に所定角度で折り曲げることによって、スリッパＢ’の甲被Ｂｂの縁を支える当該横向プレート部２２を面状の支え部とし、この横向プレート部２２の支持に伴って甲被縁に生じ易い溝状痕の発生を防ぐことができる。
【００４９】
このように対をなすスリッパＢ’の各履き込み口Ｂｅから差込片３０を受け入れるようにしてディスプレイ用ハンガーＡにスリッパＢ’を組み付けると共に連結用片４０の孔４１からプラスチック製連結ピンＤを各スリッパＢ’の甲被Ｂｂに挿通連結して当該ディスプレイ用ハンガーＡからスリッパＢ’が抜け落ちないようにした状態で出荷、陳列に供することによって、逐一店頭におけるスリッパＢ’の姿勢の手直しが不要とされ、手際よく、しかも、整然とした状態で店頭等において引っ掛け手段Ｃに引っ掛け陳列することができる。
【００５０】
（実施例２）
ついで、図６〜図１０に示される当該発明を実施するための最良の形態に係るディスプレイ用ハンガーＡは、引っ掛け部を備え当該引っ掛け部５０を引っ掛け手段Ｃに引っ掛けて吊り下げ状態で用いられるベースプレート１０と、上部側で該ベースプレート１０に連続するように備えられている一対の縦向きプレート部２１及び該各縦向きプレート部２１を連続するように備えられる横向プレート部２２を備えて前記ベースプレート１０と共に履物Ｂの差し入れ空間Ｋを構成し得るように起伏可能に備えられた補助プレート２０とを有しており、しかも、前記補助プレート２０の横向プレート部２２には、この横向プレート部２２から上方に向けて突き出すように対をなす差込片３０が並び設けてある。
そして、前記ベースプレート１０に底裏面Ｂａを接し且つ履き込み口Ｂｅからそれぞれ前記差込片３０を受け入れるようにした一組の履物Ｂを前記ベースプレート１０と斜めに起立される前記補助プレート２０との間の差し入れ空間Ｋに爪先側Ｂｃを上にして差し入れ、且つ、該ベースプレート１０と該補助プレート２０における横向プレート部２２とで支承し得るようにしてあり、しかも、前記対をなす差込片３０の互いに向き合う縁部の少なくとも一方には、前記横向プレート部２２と前記ベースプレート１０とに支承された一組の履物Ｂの互いに隣り合う甲被Ｂｂ相互を連結するプラスチック製連結ピンＤの挿通される孔４１を備えた連結用片４０を設けてある。
【００５１】
この図６〜図１０に示されるディスプレイ用ハンガーＡは、各種の履物Ｂ、例えば、外縫いタイプのスリッパＢ’のディスプレイ等に都合よく対応しうるように前記縦向きプレート部２１の上部側が漸次幅狭となるように当該縦向きプレート部２１の内側の打ち抜き縁２１ａを外側縁に向けて湾曲した状態とし、差込片３０と当該縦向きプレート部２１との間に構成される甲被Ｂｂの差し入れ間隙からはみ出すスリッパＢ’の外縫い部分Ｂｄを、この縦向きプレート部２１における湾曲に伴って広げられる打ち抜き部１２０内に納め入れ得るようにしてあり、また、当該外縫い部分Ｂｄが相互に重なりあわないように各差込片３０間を比較的広く構成してあり、しかも、この比較的広く備えられた打ち抜き部１２０におけるスリッパＢ’の横ずれを防止し得るように当該各差込片３０間のほぼ中央に当該各差込片３０との間でスリッパＢ’の甲被Ｂｂを受け入れる横ずれ防止片８０を設けるようにした以外の構成を前記実施例１におけるディスプレイ用ハンガーＡと実質的に同一の構成としてあり、同様にして用いられる。
【００５２】
従って、前記実施例１のディスプレイ用ハンガーＡと同一または実質的に同一の構成部分には同一の番号を付してその説明を省略する。
【００５３】
なお、前記補助プレート２０を構成する横向プレート部２２のほぼ中央部に備えられる当該横ずれ防止片８０は当該横向プレート部２２から上方に向けて半円状に突き出す構成としてあり、前記連結用片４０を当該横ずれ防止片８０を避けるように打ち抜き設けるようにしてある。
【図面の簡単な説明】
【００５４】
【図１】典型的なディスプレイ用ハンガーＡを構成する板紙の展開図
【図２】同ディスプレイ用ハンガーＡを組み立てた状態の斜視図
【図３】同ディスプレイ用ハンガーＡに履物Ｂを備え付けた状態で陳列している状態を一部破断して示す斜視図
【図４】同状態を要部を断面して示した側面図
【図５】図４におけるＸ−Ｘ矢視断面図
【図６】典型的な他のディスプレイ用ハンガーＡを構成する板紙の展開図
【図７】同ディスプレイ用ハンガーＡを組み立てた状態の斜視図
【図８】同ディスプレイ用ハンガーＡに履物Ｂを備え付けた状態で陳列している状態を一部破断して示す斜視図
【図９】同状態を要部を断面して示した側面図
【図１０】図９におけるＹ−Ｙ矢視断面図
【符号の説明】
【００５５】
Ａ  ディスプレイ用ハンガー
Ｂ  履物
Ｃ  引っ掛け手段
Ｄ  プラスチック製連結ピン
Ｋ  差し入れ空間
１０  ベースプレート
２０  補助プレート
２１  縦向きプレート
２２  横向プレート
３０  差込片
４０  連結用片
４１  孔
５０  引っ掛け部
【図１】
2006122422.tif 000003
【図２】
2006122422.tif 000004
【図３】
2006122422.tif 000005
【図４】
2006122422.tif 000006
【図５】
2006122422.tif 000007
【図６】
2006122422.tif 000008
【図７】
2006122422.tif 000009
【図８】
2006122422.tif 000010
【図９】
2006122422.tif 000011
【図１０】
2006122422.tif 000012